(57)【特許請求の範囲】
【請求項１】
ボタンの糸軸巻き付け装置おいて、
巻き付け用糸を供給するボビンを交換可能としながらも糸の巻き付け引張力に相応して糸の解け方向に自転することがてきるように保持するボビン保持具と前記ボビン保持装置に設置されたボビンの側方からボビンに巻かれた糸を解け方向に誘導する糸の解き誘導部材を具備したボビン保持手段と、
前記ボビン保持手段と同一の回転軸線上に固定的に装着されてボビンとともに同一の方向、同一の角速度で回転されながらボビンから巻き付け用糸の伝達を受けてボタン糸軸に巻き付く糸巻き付け手段と、
前記同一の回転軸上に固定的に装着されたボビン保持手段と糸巻き付け手段を支持部に回転自由に装着してモータの駆動力によって回転させる巻き付け回転手段とから構成されて、
普通の裁縫糸を絡まりのない巻き付け用糸として供給してボタン糸軸の周囲に巻き付くことができるようにすることを特徴とするボタンの糸軸巻き付け装置。
【請求項２】
前記巻き付け用糸を供給するボビンを交換可能しながらも糸の巻き付け引張力に相応して糸の解け方向に自転することができるように保持する前記ボビン保持手段の構成は、
外側端は糸巻き付け手段と一体に形成され内側端にはボビンＢの一側端部を保持するボビン保持部材113を具備した前方円板111と、
前記前方円板111と数個の連結棒115、116、116aにより連結保持され、後方保持部材132に回転自由に装着された回転軸117の中央部に貫通させて一体に形成した後方円板112と、
前記後方円板112の内側端から回転軸117の先端部にボビンＢの他側端部をスプリング118によって弾力的に装着するボビン保持具114を具備し、
一側連結棒115の中間部には糸誘導孔119を具備したボビン保持装置とから構成することを特徴とする請求項１記載のボタンの糸軸巻き付け装置。
【請求項３】
前記ボビン保持手段と同一の回転軸線上に固定的に装着されて該ボビンとともに同一の方向、同一の角速度で回転されながら該ボビンから巻き付け用糸の伝達を受けて該ボタン糸軸に巻き付く糸巻き付け手段の構成は、
中央部に該ボタン糸軸が引き入れられることができる円筒形に形成され後端は前記前方円板111に同一の回転軸線上に一体に形成され、中間部は前方保持部材131に回転自由に装着され、その前方側には巻き付け回転手段の駆動プーリと連動されるプーリ溝123が具備され、一側端部には該前方円板111の一側とともに前後方に貫通させて巻き付け用糸Ｋの供給される引出孔122が形成され、先端外周面には前記引出孔122の一端で巻き付け用糸Ｋを押して引張力を調節することができるように溝輪124を形成してテンションリング125が環装された糸巻き付け部材121を具備した糸巻き付け装置とから構成することを特徴とする請求項１または請求項２記載のボタンの糸軸巻き付け装置。
【請求項４】
前記同一の回転軸上に形成されたボビン保持手段と糸巻き付け手段を基台プレートに回転自由に軸受してモータの駆動力によって回転させる巻き付け回転手段の構成は、
糸巻き付け部材121の後端をベアリング134によって回転自由にピボット式に装着される前方保持部材131と、ボビン回転装置の該後方円板112に軸上で固定的に装着された回転軸117の後端をベアリング133によって回転自由にピボット式に装着される後方保持部材132と、
前記前・後方保持部材131、132を支持する基台プレート136と、
前記基台プレート136の一側から前記糸巻き付け部材121のプーリ溝123と伝動ベルト135によって連動されるモータプーリＭ１を装着したモータＭを具備する巻き付け回転装置とから構成することを特徴とする請求項１記載のボタンの糸軸巻き付け装置。
【請求項５】
前記巻き付け用糸を供給するボビンを交換可能としながらも糸の巻き付け引張力に相応して糸の解け方向に自転することができるように保持するボビン保持手段の構成を、
中間部外側端に糸巻き付け装置が一体に形成される一側方に長い形態の前方円板111aと、前記前方円板111aと対称形となって、回転軸117a上で後方保持部材132に回転自由に装着された中間部外側端を有する後方板112aと、
前記前方円板111aと後方円板112aを上下端でそれぞれ固定し該ボビンＢを保持する上下部ボビン固定板115a、115bと、
前記上下部ボビン固定板115a、115bとの間で該ボビンＢを自転自由に保持する構造で、該ボビン固定板115aの上端の内側端には該ボビンＢの一側端部を軸上で挿入して装着するボビン保持具113を形成し、
ボビン固定板115bの下端の内側端にはボビンＢの他側端部をスプリング118で弾力的に軸上で装着されるボビン保持具114を具備したボビン保持装置とから構成することを特徴とする請求項１記載のボタンの糸軸巻き付け装置。
【請求項６】
前記同一の回転軸上に構成されたボビン保持手段と糸巻き付け手段を基台プレートに回転自由に軸受してモータの駆動力によって回転させる巻き付け回転手段の構成は、ボビン保持手段の後方側回転軸に駆動モータを同軸上に配置して直接駆動させることを特徴とする請求項１記載のボタンの糸軸巻き付け装置。
【請求項７】
普通合成裁縫糸はポリエステル製Ｄ．Ｔ．Ｙ．（Draw-textured yarn）材料で形成されることを特徴とする請求項１記載のボタンの糸軸巻き付け装置。
【発明の詳細な説明】
発明の属する技術分野
本発明はボタンの糸軸周りに巻き付けるための装置に関し、より詳細には裁縫糸によって物品である衣服にボタンの糸軸（シャンク部）周囲を巻き付け用糸によって多少の引っ張り状態で巻き付くボタンの糸軸（シャンク部：shank：以下、糸軸という）巻き付け装置に関するものである。
従来の技術
従来のボタンシャンク部巻き付け装置はその機械的な特性によって普通の合成裁縫糸を使用することができなかった。
従来のボタン糸軸巻き付け装置の一例は米国特許第5,082,151号（以下、先発明という）の内容中に開示されている。
前記先発明に開示された従来のボタン糸軸巻き付け装置の構成は、巻き付け用糸のためのワインディングベル（巻き付け用ベル）、ワインディングベルから駆動モータを離間させた状態の軸を備えるワインディングベル駆動モータと巻き付け用糸がワインディングベルを通過する中空軸を具備したワインディングベル駆動モータおよび巻き付け用糸の供給部を受容するマガジンで構成され、前記ワインディングベル、中空軸を具備した駆動モータおよびマガジンが互に結合されて手動式装置を形成するようにしたことを特徴としている。
このような従来の手動式装置によると、ボタン糸軸（シャンク部）のコイルに巻き付け用糸の終端が確実に固定されながら固定式糸軸形巻き付け装置を使用するときよりもっと経済的にボタンを裁縫する利点がある。とりわけ本装置は、マガジンがハンドル形に構成された場合に特別にコンパクトしながらも容易に取扱うことができる長所をもつ。
ワインディングベル、駆動モータおよびマガジンを同軸状態に設置するとか、マガジンをワインディングベルと駆動モータの共同軸線に直角に設置してマイター歯車によってワインディングベルと間接的な駆動接続関係を形成することによって、物品である衣服のボタン糸軸（シャンク部）周り巻き付け装置の構成全体を大変コンパクト化させることができる。駆動モータにケーシングを被覆してハンドルとして使用するようにすることによってより実際的に装置の取扱を容易にすること等を特徴としている。
しかし、実際使用においては巻き付け作業時に次のような問題点をもっている。
前記の従来発明である従来型の衣服ボタン糸軸（シャンク部）の巻き付け装置を示す第３図に提示された第一実施例の手動式装置は、電気モータが中空シャフト軸を介してワインディングベルを駆動させ、弾性巻き付け用糸はマガジンに位置した同軸上のボビンから引張られて中空軸を介してワインディングベルに渡されてワインディングベルの端部をへて、ワインディングベルの回転によりボタン糸軸（シャンク部）の糸束周囲に巻き付けられるように構成されている。中空軸と同軸上に設置された半円錐形ボビンに巻かれている巻き付け用糸は駆動モータの中空軸に引張られるときにボビンの角部側に解けるので、糸が絡まれながら解ける。
この糸は再び中空軸からワインディングベルの端部に連結される。ワインディングベルが回転することにより巻き付け用糸が再び絡まりながら引張られる。
このように巻き付け用糸をボビンから引張った後巻き付け作業をする過程で二重に絡まりながら引張られると糸の張力が低下して高速の回転速度を維持する巻き付け作業中に糸の切断が頻繁に発生するようになり、これに因って巻き付け作業は頻繁に中断される。つまり任意の数量の衣服を継続的に処理しようとする巻き付け装置の一般的な特性を阻害して作業の効率面から大変に非能率的であり、非実用的な短所を有する。
特に糸が絡まった状態にボタン糸軸（シャンク部）に巻き付けられると巻き付けられた糸の外周面は凹凸状となり、衣服の使用時にボタン孔において摩擦および摩耗がおき容易に切れる短所があったものである。
また、先発明の第４図に図示の第２実施例の他の例のように、ギヤケーシング内に中空軸を回転可能に設置し、中空軸の終端はギヤケーシングから案内され、一端にはワインディングベルが固定され他端には巻き付け用糸の供給部を受容するマガジンを配置し、マガジンはギヤケーシングに固定されたボビンキャリアと巻き付け用糸のための供給ボビンで構成され、このボビンは中空軸の軸線に対して直角に位置してボビンキャリアに回転可能かつ交換可能に挿入されて、ボビンを離れた糸は中空軸、ワインディングベルの壁に形成されたスロットを介して最終的に前記ベルの円周上に具備するリングを通過する。
この構成は、供給ボビンに巻かれている巻き付け用糸が解けて中空軸に引張られるときには供給ボビンが自転しながらボビンの側面側から糸が解けるので、一次的な絡まり現象は解消される。しかし、中空軸を経た糸がワインディングベルの壁に形成されたスロットをへてワインディングベルの円周上に具備されたリングを通過して引張られる糸は、ワインディングベルが回転することにより中空軸を経てリングに供給される過程において絡まりながら、引っ張られるので、前記第１実施例の装置に比べて絡まりの程度が減少されるが、絡まり現象は残存するので第１実施例の装置がもつ短所と大同小異な短所をもっているものである。
発明の開示
本発明はボタンの糸軸周りに巻き付けるための装置に関し、より詳細には裁縫糸によって物品である衣服にボタンの糸軸（シャンク部）周囲に巻き付け用糸が多少の緊張状態で巻き付けられるボタンの糸軸（シャンク部）巻き付け装置に関するものである。
本発明の目的は従来のボタン糸軸（シャンク部）巻き付け装置の短所である、巻き付け用糸が巻き付け作業中に巻き付け装置によって絡まりと切断される現象を解決することができるボタン糸軸（シャンク部）巻き付け装置を提供することにある。
本発明のまた他の目的は前記一つの目的と関連してボタン糸軸（シャンク部）に巻き付く糸それ自体が絡まりなしに巻き付けられて糸巻き付け部の外周面の形状を均一に形成することができるボタン糸軸巻き付け装置を提供することにある。
本発明のまた他の目的は巻き付け用糸の絡まりを防止することによって伸び率が低く廉価なポリエステルで製造されたＤ．Ｔ．Ｙ．（Draw textured yarn）や合糸等の低い伸張の裁縫用糸などの通常の合成糸を巻き付け用糸に使用することができるボタン糸軸（シャンク部）巻き付け装置を提供することにある。
前記の目的を達成すると考えられる本発明の構成は、ボタンシャンク部巻き付け装置を形成することにおいて巻き付け用糸を供給するボビンを交換可能に糸の巻き付きおよび引っ張り力に相応して糸の解け方向にその軸で回転することができるように支持するボビン保持手段と、前記ボビン支持手段に同一の回転軸線上で固定的に装着されてボビンとともに同一の方向、同一の角速度で回転しながらボビンから巻き付け用糸の伝達を受けてボタンシャンク部に巻き付く糸巻き付け手段と、前記同一の回転軸上で固定的に装着されたボビン保持手段と糸巻き付け手段を支持部に回転自由に軸受してモータの駆動力によって回転させる巻き付け回転手段によって構成することを特徴とする。
このような本発明によると、ボビンから供給される巻き付け用糸をボタンシャンク部の周囲に巻き付けられるまでの供給過程において全く絡まりなしに前方向に円滑に供給されて、巻き付け用糸の切断による巻き付け作業の中断現象を根本的に防止して作業の効率と能率を大幅に向上させながら、ボタンシャック部に巻き付けられた部分の外周面が均一に形成することができ、巻き付け用糸を全く絡まることなしに供給することができるので、供給される糸の張力を維持することができて、巻き付け用糸の材質を価格が高価な高伸張率の弾性重合体プラスチック材料であるエラスチン（Elasthan）繊維等を使用しなくとも廉価な普通の裁縫糸によっても糸の切断なしに巻き付け作業を能率的に遂行することができて大変に低廉な費用で巻き付け作業を実施することができる長所をもつものである。
他の目的および利点は、後述の添付された図面の簡単な説明および本発明の最適な実施例から明らかとなるであろう。
【図面の簡単な説明】
第１図は、本発明による１実施例のボタンの糸軸巻き付け装置の静止した状態の斜視図。
第２図は、本発明による１実施例のボタンの糸軸巻き付け装置の断面図。
第３図は、第２図の３−３線に沿う断面図。
第４図は、第２図の４−４線に沿う断面図。
第５図は、本発明による他の実施例のボタンのシャンク部巻き付け装置の要部構成断面図。
発明の実施の形態
第１図乃至第４図に図示されたように本発明によるボタンの糸軸を巻き付く一例のボタン糸軸巻き付け装置100は、巻き付け用糸Ｋを供給するボビンＢを交換可能で糸の巻き付けおよび引張力に相応して糸の解ける方向に回転することができるように支持するボビン保持具と前記ボビン保持具に設置されたボビンＢの側方からボビンＢに巻かれた糸を解く方向に誘導する糸解き誘導具を具備したボビン保持装置と、前記ボビン保持装置と同一の回転軸線上に固定的に装着されてボビンＢとともに同一の方向、同一の角速度で回転されながらボビンＢから巻き付け用糸Ｋの伝達を受けてボタン糸軸に巻き付く糸巻き付け装置と、同一の回転軸上に固定的に装着されたボビン保持装置と糸巻き付け装置を基台プレート136に回転自由に装着してモータの駆動力によって回転させる巻き付け回転装置とから構成される。
前記ボビン保持装置は、外側端は糸巻き付け装置と一体に固定され内側端にはボビンＢの一側端部を支持するボビン保持具113を具備した前方円板111と、この前方円板111と数個の連結棒115、116、116aで連結保持され、後方保持部材132に回転自由に装着された回転軸117の中央部を貫通し固定的に装着された後方円板112と、前記後方円板112の内側端から回転軸117の先端部にスプリング118によって弾力的に装着されてボビンＢの他側端部を保持するボビン保持具114と、前記ボビンＢから巻き付け用糸Ｋを解く方向に誘導するために一側連結棒115の中間部の外側に形成した糸誘導孔119を具備して構成される。
前記糸巻き付け装置は、先端の中央部はボタン糸軸Ｓが引き入れられることができ後端は前記前方円板111と同一軸線で前面端と一体に形成される構成として、その中心軸線が前記前方円板111の回転軸線と同一の線上に形成され、中間部は前方支持部材131に回転自由に装着され、前方側には巻き付け回転装置の駆動プーリＭ１と連動されるプーリ溝123が具備され、一側端部には前方円板111の一側とともに前後方に貫通させて巻き付け用糸Ｋの供給を受ける引出孔122を形成し、先端の外周面には前記引出孔122の一端が巻き付け用糸Ｋの一端を押して引張張力を調節することができるように溝輪124を形成し、テンションリング125を環装した糸巻き部材121を具備して構成される。
前記巻き付け回転装置は、糸巻き付け部材121の後端をベアリング134に回転可能でピボット式に装着する前方保持部材131と、ボビン保持装置の後方円板112に固定的に軸上で装着された回転軸117の後端をベアリング133に回転可能でピボット式に装着する後方保持部材132と、前記前・後方保持部材131、132を支持する基台プレート136と、前記基台プレート136の一側に固定された駆動プーリＭ１を具備したモータＭと、前記モータプーリＭ１と前記糸巻き付け部材121のプーリ溝123を連動させる伝動ベルト135と、基台プレート136の前方一側に固定設置されて糸巻き付け部材121の引出孔122に引出された巻き付け用糸Ｋを張力を有し、引っ張り把持する糸の終端把持具137を具備して構成される。
参照符号138は蓋であり、140は固定部材、141はスイッチ板、142はスイッチ棒、145はプレート、146はスロット、151は制御回路基板（Ｐ．Ｃ．Ｂ．）、152は起動スイッチ、153は速度調節スイッチである。
このような構成の第１実施例のボタン糸軸巻き付け装置の作動状態を以下に説明する。
巻き付け用糸Ｋが巻かれたボビンＢを角度が前方側に向くように前後方円板111、112間において回転中心軸線上に具備された前後方ボビン保持具113、114に前後方部に多少の張力を有し自転可能となるように装着されている。
このボビンＢから糸の終端を解けて前後方円板111、112を連結支持する３個の連結棒115、116、116aの一側の連結棒116の外側を通り、他側連結棒115の糸の誘導孔119を経て前方円板111から糸巻き付け部材121の端部に貫通形成された引出孔122を介して糸巻き付け部材121の前方に引出される。
糸巻き付け部材121の端部から引出孔122を介して引出された巻き付け用糸Ｋの終端は基台プレート136の前方部固定部材140に別体で設置された糸の終端把持部137に引張り把持させるとボタン糸軸巻き付け作業を準備することになる。公知の方法によって所定の巻き付け作業を遂行する。即ち、巻き付けられる衣服Ｓ２のボタン糸軸Ｓを糸巻き付け部材121の中央内部に入れた後にモータＭを稼動させると糸巻き付け部材121が時計方向に断続的に数回回転しながら所定の巻き付け作業を遂行する。
このような巻き付け作業によると糸巻付け部材121が回転されることによりこの糸巻き付け部材121の後端に一体に付着されながら前方保持部材131と後方保持部材132との間に一体に回転自由に装着されたボビン保持装置が同時に同一の方向、同一の回転力によって回転される。
またこのボビン保持装置のボビン保持具113、114に一定の張力で支持されたボビンＢも自転すると同時に回転される。したがって、巻き付け作業速度により糸巻き付け部材121の端部から引出孔122に巻き付け用糸Ｋが引張られても、巻き付け用糸ＫのボビンＢから解ける位置と方向は糸自体が絡まることなく一側連結棒115の中央部に具備されている糸の誘導孔119で解ける側面解け方向となり、この糸の引張力（解かれ力）によってボビンＢがボビン保持具113、114から自転しながら解かれ、同時に糸巻き付け部材121とともにボビンＢが回転して巻き付け用糸Ｋが全く絡ることなく供給される作用効果が得られる。
このように巻き付け用糸ＫがボビンＢから解かれてボタン糸軸Ｓに巻き付けられるまでの解ける工程で種々の装置において全く絡まらないということはないので巻き付け作業速度により所定の引張力をもって解かれながら可撓的に供給される。
つまり、前述の従来の先発明のようなボビン固定式巻き付け装置の最大短所である巻き付け用糸が二重に絡まり供給され、束になって、巻き付け作業中に糸が断絶されて作業が中断される短所を根本的に解決する。任意の数量の衣服を継続的に処理しようとする巻き付け装置の特性を向上させて作業効率と能率を高めることができる実用的な長所をもっている。合わせて巻き付け用糸Ｋをボビンから解きボタン糸軸の周囲に巻き付けられるまでの供給過程において絡まりや束の形成が全くなしに進行方向に円滑に供給させてボタン糸軸に巻き付けられた糸巻き付け部の外周面を均一に形成することができる。
また、巻き付け用糸が全く絡まりと束のなしに供給されることにより糸の張力が弱くても円滑に供給される。巻き付け用糸の材質を価格が高価な高伸張率のエラストマープラスチック材料であるエラスチン（Elasthan）繊維等を使用せずにも廉価の通常の裁縫糸を使うことによって能率的な巻き付け作業を遂行することができるので、巻き付け作業費を大変に低廉な費用で実施することができる長所をもつものである。
第５図は本発明の他の実施例ボタン糸軸巻き付け装置100aである。
この実施例において前記第１実施例のボタン糸軸巻き付け装置100の構成とはボビン保持装置の構成のみを相異にしている。
このボビン保持装置の構成は中間部の外側端に糸巻き付け装置が一体に固定される一側方に長い形態の前方円板111aと、前記前方円板111aに対称形であり中間部の外側端が回転軸117aで後方保持部材132に回転自由に装着された後方板112aと、前記前方円板111aと後方円板112aを上下端にそれぞれ固定しながらボビンＢを保持する上下部ボビン固定板115a、115bと、前記上下部ボビン固定板115a、115bとの間にボビンＢを自転自由に支持する構造で一側ボビン固定板115aの内側端にはボビンＢの一側端部を挿入して装着する半球形のボビン保持具113を形成し、他側ボビン固定板115bの内側端にはボビンＢの他側端部をスプリング118によって弾力的に軸上で装着されるボビン保持具114を具備することを特徴とする。
このようなボビン保持装置によると糸巻き付け部材121が回転されることによりこの糸巻き付け部材121の後端と一体に形成されながら前方保持部材131と後方保持部材132との間で回転自由に装着されたボビン保持装置が同時に同一の方向、同一の角速度で回転され、またこのボビン保持装置にボビン保持具113、114に所定の張力に保持されたボビンＢも自転することができ、同時にボビン保持装置とともに回転するようになる。この場合ボビンＢの自転軸がボビン保持装置（110a）の回転軸と直交方向に形成されてあって、ボビンＢに巻かれた巻き付け用糸Ｋが巻き付けおよび駆動力で解かれるときに第１実施例のように別体の連結棒115の中央側に具備されている糸誘導孔119等を介さずに自転するボビンＢから直に絡まることなしに解かれて、巻き付け作業時に糸巻き付け部材121の端部に形成された引出孔122に供給させることができる。この作用効果により前述の第１実施例と同様に本発明の目的を達成することができる。
このような本発明を実施することにおいて上述の第１実施例の構成は本発明を実施する望ましい１例として提示されたもので必らずこれに限定されるものではない。
例示された糸巻き付け装置の糸巻き付け部材とこれに一体に付着されたボビン保持装置を回転させる手段である巻き付け回転装置の構成は図示の一例のように、モータを糸巻き付け装置の回転軸に対し他の軸線上に設置して駆動プーリ等で間接駆動させる構成外にも、糸巻き付け部材とボビン保持装置の回転軸線と同一軸線上の前後方のいずれの一側に直接駆動方式に設置しても同一の効果を得ることができる。
【図１】
0003954102.tif 000002
【図２】
0003954102.tif 000003
【図３】
0003954102.tif 000004
【図４】
0003954102.tif 000005
【図５】
0003954102.tif 000006